(57)【特許請求の範囲】
【請求項１】
染料を含有する酸化染毛剤の第１剤を収納した染毛剤収納容器であって、前記収納容器が、少なくとも３層の積層構造を有し、最外層がアルミナ（Ａｌ２Ｏ３）を蒸着してなる飽和ポリエステル樹脂層であり、中間層がエチレン−ビニルアルコール共重合体またはポリアミド系２軸延伸樹脂層であり、最内層がポリオレフィン系樹脂層であることを特徴とする染毛剤収納容器。
【請求項２】
前記酸化染毛剤の第１剤が、アルカリ剤としてアンモニア、モノエタノールアミン、ジエタノールアミン、トリエタノールアミン、イソプロパノールアミン、ジイソプロパノールアミンから選ばれる１種以上を含有するものであることを特徴とする請求項１記載の染毛剤収納容器。
【請求項３】
前記アルミナ（Ａｌ２Ｏ３）を蒸着してなる飽和ポリエステル樹脂層の厚さが５〜２０μｍで、前記エチレン−ビニルアルコール共重合体またはポリアミド系２軸延伸樹脂層の厚さが５〜２５μｍで、前記ポリオレフィン系樹脂層の厚さが２０〜２００μｍであることを特徴とする請求項１または請求項２記載の染毛剤収納容器。
【発明の詳細な説明】
【０００１】
【発明の属する技術分野】
この発明は、染料を含有する酸化染毛剤の第１剤を内部に収納する染毛剤収納容器に関するものである。
【０００２】
【従来の技術】
酸化染毛剤の第１剤を収納する収納容器としては、従来、チューブ容器やエアゾール缶等が使用されている。このチューブ容器は、アルミニウムの金属からなる容器に、エポキシフェノール系樹脂による内面塗装が施されており、第１剤が内部に収納されるようになっている。また、エアゾール缶は、アルミニウムの金属からなる外容器に、ポリエチレン等の合成樹脂からなる内容器が内設された構成となっており、第１剤は内容器の内部に収納されるようになっている。
【０００３】
【発明が解決しようとする課題】
ところが、この従来の収納容器は、使用後はそのまま廃棄物として処分されており、環境保護の面で問題があると共に、内部の視認性が悪いため、内容物が何であるのか確認できないという問題があった。
【０００４】
また、エアゾール缶は、内容器が外容器に内設された複雑な構成であるため、製造コストが嵩むという問題があった。
【０００５】
さらに、チューブ容器は中身を絞り出すのにやや力が必要なため、高齢者等には使用しにくいという問題があった。また、エアゾール缶も同様に高齢者には操作がやや困難であるという問題があった。
【０００６】
そこで、上記の問題を解決する方法として、包装袋に酸化染毛剤を収納する試みがなされている。この包装袋は、シート素材によって扁平袋状に形成され、シャンプーやリンス等の携帯用容器として従来より使用されているものである。
【０００７】
しかし、この包装袋に酸化染毛剤の第１剤を収納した場合には、第１剤に配合された染料やアンモニア等がシート材に浸透して包装袋の外に漏出してしまい、包装袋の中身を安定して保存することができないという問題があった。
【０００８】
この発明は、上記のような従来技術に存在する問題点に着目してなされたものである。その目的とするところは、酸化染毛剤の第１剤の保存安定性を向上させることができる染毛剤収納容器を提供することにある。
【０００９】
【課題を解決するための手段】
上記の目的を達成するために、請求項１に記載の発明の染毛剤収納容器は、酸化染毛剤の第１剤を収納する染毛剤収納容器であって、前記収納容器が、少なくとも３層の積層構造を有し、最外層が無機物を蒸着してなる飽和ポリエステル樹脂層であり、中間層がエチレン−ビニルアルコール共重合体またはポリアミド系２軸延伸樹脂層であり、最内層がポリオレフィン系樹脂層であることを特徴とするものである。
【００１０】
請求項２に記載の発明の染毛剤収納容器は、請求項１に記載の発明において、前記無機物を蒸着してなる飽和ポリエステル樹脂層の厚さが５〜２０μｍで、前記エチレン−ビニルアルコール共重合体またはポリアミド系２軸延伸樹脂層の厚さが５〜２５μｍで、前記ポリオレフィン系樹脂層の厚さが２０〜２００μｍであることを特徴とするものである。
【００１１】
【発明の実施の形態】
以下、この発明の実施形態を図１に従って説明する。
【００１２】
図１（ａ）、（ｂ）に示すように、この染毛剤収納容器１１は、最外層１２に無機物を蒸着してなる飽和ポリエステル樹脂層を配し、中間層１３にエチレン−ビニルアルコール共重合体層１３ａまたはポリアミド系２軸延伸樹脂層１３ｂを配し、最内層１４にポリオレフィン系樹脂層１４ａを配した少なくとも３層の積層構造を備えている。そして、容器本体には酸化染毛剤の第１剤が収納されている。
【００１３】
最外層１２は飽和ポリエステル樹脂層１２ａとその内面に蒸着された無機物蒸着層１２ｂとから形成される。
【００１４】
飽和ポリエステル樹脂層１２ａの形成材料としては、ポリエチレンテレフタレート（ＰＥＴ）、ポリエチレンナフタレート（ＰＥＮ）、ポリブチレンテレフタレート（ＰＢＴ）等が挙げられる。これらの中でも、ポリエチレンテレフタレート（ＰＥＴ）がより好ましい。
【００１５】
また、飽和ポリエステル樹脂１２ａに代わる形成材料としては、延伸ナイロン、延伸ポリビニルアルコール、延伸ポリプロピレンなどが挙げられる。
【００１６】
無機物蒸着層１２ｂを形成する無機物としては、酸化ケイ素（ＳｉＯＸ）、アルミナ（Ａｌ２Ｏ３）等が挙げられる。これらはいずれも高いバリアー性を有するとともに透明性も有している。そして、飽和ポリエステル樹脂層１２ａに高いバリアー性を付与するとともに、良好な廃棄性を付与するものである。
【００１７】
無機物蒸着層１２ｂの厚さは、通常５０〜５，０００オングストロームが好ましい。この厚さが５０オングストローム未満であると十分なバリアー性が得られない。一方、５，０００オングストロームを超えても、それに相当する効果は得られず、かえって製造コストの点で不利となる。
【００１８】
無機物蒸着層１２ｂの形成に用いられる蒸着方法としては、例えば、真空蒸着法、スパッタリング法、イオンプレーティング法、プラズマ蒸着法、化学的気相蒸着法（ＣＶＤ法）等が挙げられる。
【００１９】
最外層１２の厚さは、５〜２０μｍが好ましい。この厚さが５μｍ未満であると耐水性が得られない。一方、２０μｍを超えても、それに相当する効果は得られず、かえって製造コストの点で不利となる。
【００２０】
中間層１３は、エチレン−ビニルアルコール共重合体層１３ａまたはポリアミド系２軸延伸樹脂層１３ｂで形成される。そして前記エチレン−ビニルアルコール共重合体層１３ａおよびポリアミド系２軸延伸樹脂層１３ｂは、バリアー性を有している。ここで、バリアー性とは、ガスバリアー性、揮発性物質の耐透過性、および液状物質の耐透過性等をいう。
【００２１】
ポリアミド系２軸延伸樹脂層１３ｂの形成材料としては、強度、柔軟性に優れた二軸延伸ナイロンが好ましい。
【００２２】
中間層１３の厚さは、５〜２５μｍが好ましい。この厚さが５μｍ未満であるとバリアー性が得られない。一方、２５μｍを超えても、それに相当する効果は得られず、かえって製造コストの点で不利となる。
【００２３】
最内層１４は、ポリオレフィン系樹脂層１４ａで形成される。そして前記ポリオレフィン系樹脂層１４ａは耐水性、耐薬品性を有している。
【００２４】
ポリオレフィン系樹脂層１４ａの形成材料としては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン（ＰＰ）、エチレン−プロピレン共重合体、エチレン−ブテン共重合体、エチレン−ヘキセン共重合体、エチレン−オクテン共重合体、エチレン−酢酸ビニル共重合体（ＥＶＡ）、エチレン−メチルメタクリレート共重合体、アイオノマー樹脂等が挙げられる。これらの中でも、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン（ＰＰ）、エチレン−酢酸ビニル共重合体（ＥＶＡ）、アイオノマー樹脂が好ましい。
【００２５】
最内層を形成するポリオレフィン系樹脂層１４ａの厚さは、２０〜２００μｍが好ましい。この厚さが２０μｍ未満であると十分な耐水性、耐薬品性が得られない。一方、２００μｍを超えても、それに相当する効果は得られず、かえって製造コストの点で不利となる。
【００２６】
また、最外層１２、中間層１３および最内層１４の各層間は接着され、積層されている。各層間の接着方法としては、ドライラミネーション法が好適に採用される。
【００２７】
また、この染毛剤収納容器１１の最外層１２又は中間層１３には印刷を施すことが可能であり、好適に採用可能な印刷方法としては、例えばグラビア印刷法が挙げられる。
【００２８】
また、容器の形状としては、スタンディングパウチ、パウチ、ボトル、チューブ等が挙げられる。これらの中でも、スタンディングパウチ、パウチがより好ましい。
【００２９】
次に、酸化染毛剤の第１剤及び第２剤に配合される各種成分について説明する。
酸化染毛剤の第１剤に配合される酸化染料中間体としては、フェニレンジアミン類、アミノフェノール類、トルイレンジアミン類、アミノニトロフェノール類、ジフェニルアミン類、ジアミノフェニルアミン類、Ｎ−フェニルフェニレンジアミン類、ジアミノピリジン類等及びそれらの塩類から選ばれた少なくとも一種が使用される。塩類としては塩酸塩、硫酸塩、酢酸塩等が挙げられる。これらの中でもパラフェニレンジアミン、パラトルイレンジアミン、Ｎ，Ｎ−ビス（２−ヒドロキシエチル）−パラフェニレンジアミン、Ｎ−フェニル−パラフェニレンジアミン、４，４’−ジアミノジフェニルアミン、２−クロロパラフェニレンジアミン、Ｎ，Ｎ−ジメチルパラフェニレンジアミン、パラアミノフェノール、２，６−ジクロロパラフェニレンジアミン、パラアミノフェニルスルファミン酸及びそれらの塩類が染毛力の点から好ましい。
【００３０】
酸化染料中間体の配合量は、第１剤の全重量に対して０．０１〜１５重量％が好ましく、０．０１重量％よりも少ないと十分な染毛効果が得られず、１５重量％を越えても、その効果は変わらず経済的ではない。さらには０．１〜１０重量％が特に好ましく、０．１重量％以上配合することにより、より優れた染毛効果が得られる。一方、１０重量％を越えた場合は染毛効果の上昇は少なくなる。
【００３１】
また、カップラーとして、レゾルシン、ピロガロール、カテコール、メタアミノフェノール、メタフェニレンジアミン、オルトアミノフェノール、２，４−ジアミノフェノール、１，２，４−ベンゼントリオール、トルエン−３，４−ジアミン、トルエン−２，４−ジアミン、ハイドロキノン、α−ナフトール、２，６−ジアミノピリジン、１，５−ジヒドロキシナフタレン、５−アミノオルトクレゾール、ジフェニルアミン、パラメチルアミノフェノール、フロログルシン、２，４−ジアミノフェノキシエタノール、没食子酸、タンニン酸、没食子酸エチル、没食子酸メチル、没食子酸プロピル、五倍子、５−（２−ヒドロキシエチルアミノ）−２−メチルフェノール等及びそれらの塩から選ばれた少なくとも一種を第１剤に配合してもよい。
【００３２】
その配合量は０．０１〜１０重量％が好ましく、０．０１重量％よりも少ないと十分な染色性が得られず、１０重量％を越えても、その効果は変わらず経済的ではない。さらには０．１〜５重量％が特に好ましく、０．１重量％以上配合することにより、より優れた染色性が得られる。一方、５重量％を越えた場合は染色性の上昇は少なくなる。その他、「医薬部外品原料規格」（１９９１年６月発行、薬事日報社）に収載されたものを適宜配合してもよい。
【００３３】
第１剤に配合される直接染料としては、４−ニトロ−ｏ−フェニレンジアミン、４−ニトロ−ｍ−フェニレンジアミン、２−ニトロ−ｐ−フェニレンジアミン、ピクラミン酸、１−アミノ−４−メチルアントラキノン、１，４−ジアミノアントラキノン、２−アミノ−４−ニトロフェノール、２−アミノ−５−ニトロフェノール、ピクリン酸及びそれらの塩、並びに、「医薬品等に使用することができるタール色素を定める省令」（昭和４１年告示、厚生省）により定められた酸性染料である、赤色２号、赤色３号、赤色１０２号、赤色１０４号の（１）、赤色１０５号の（１）、赤色１０６号、赤色２０１号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、黄色４号、黄色５号、黄色２０２号の（１）、黄色２０２号の（２）、黄色２０３号、黄色４０２号、黄色４０３号の（１）、黄色４０６号、黄色４０７号、だいだい色２０５号、だいだい色２０７号、だいだい色４０２号、緑色３号、緑色２０４号、緑色２０５号、緑色４０１号、緑色４０２号、紫色４０１号、青色１号、青色２号、青色２０２号、青色２０３号、青色２０５号、かっ色２０１号、黒色４０１号等から選ばれた少なくとも一種が使用される。そして、この直接染料を配合することにより、染め上がり及び染色性に、より優れた効果が得られる。
【００３４】
直接染料の配合量は０．００１〜１０重量％が好ましく、０．００１重量％よりも少ないと十分な染め上がり及び染色性が得られず、１０重量％を越えても、その効果は変わらず経済的ではない。さらには、０．０１〜５重量％が特に好ましく、０．０１重量％以上配合することにより、より優れた染め上がり及び染色性が得られる。一方、５重量％を越えた場合は染め上がり及び染色性の上昇は少なくなる。
【００３５】
第１剤に配合されるアルカリ剤としては、アンモニア、アルカノールアミン類（トリエタノールアミン、ジエタノールアミン、モノエタノールアミン、イソプロパノールアミン、ジイソプロパノールアミン等）、有機アミン類（２−アミノ−２−メチル−１−プロパノール、２−アミノ−２−メチル−１，３−プロパンジオール、グアニジン等）、無機アルカリ（水酸化ナトリウム、水酸化カリウム等）、塩基性アミノ酸（アルギニン、リジン等）及びそれらの塩等から選ばれる少なくとも一種が使用される。更にそれらを組み合わせて緩衝溶液としても良い。そして、第１剤のｐＨはｐＨ８〜１１に調整される。
【００３６】
第２剤に配合される過酸化水素の配合量は、第２剤の全重量に対して０．１〜９重量％が好ましく、０．１重量％よりも少ないと良好な染毛効果あるいはブリーチ効果が得られず、９重量％を越えると毛髪の損傷のおそれがある。さらには、２．０〜６．０重量％が特に好ましく、２．０重量％以上配合することにより、優れた染毛力あるいはブリーチ効果が得られる。一方、６．０重量％以下にすることにより毛髪の損傷のおそれがより少なくなる。
【００３７】
第２剤に配合される安定剤としては、例えば、フェナセチン、ＥＤＴＡ、８−ヒドロキシキノリン、アセトアニリド、ピロリン酸ナトリウム、バルビツール酸、尿酸、タンニン酸、パラベン等から選ばれた少なくとも一種が使用される。
【００３８】
第２剤に配合されるｐＨ調整剤としては、例えば、リン酸、クエン酸、硫酸、酢酸、乳酸、酒石酸等が使用され、第２剤のｐＨは２〜６、好ましくは３〜５に調整される。
【００３９】
次に、前記のように構成された染毛剤収納容器１１の作用について説明する。
さて、酸化染毛剤の第１剤を実施形態の染毛剤収納容器１１に収納した状態で保存しているとき、第１剤中の染料やアンモニアが内側から徐々に最内層１４に浸透し、外部に漏出しようとする。しかし、染料やアンモニアは染毛剤収納容器１１の表面へ浸透することはできないため、第１剤中の染料やアンモニアの量が保存時に減少するおそれはない。
【００４０】
以上のように、この実施形態によれば次のような効果が発揮される。
・  実施形態の染毛剤収納容器１１は、中間層１３の外面に無機物を蒸着した飽和ポリエステル樹脂層を、内面にポリオレフィン系樹脂層１４ａを接合した素材によって形成されている。
【００４１】
そして、無機物を蒸着した飽和ポリエステル樹脂層は、第１剤中の染料を浸透させない特性を有すると共に、外部からの酸素や水分等の浸透を防止する特性を有している。このため、第１剤中の染料が容器本体の表面まで浸透するのを防止することができるとともに、外部からの酸素による容器本体内での染料の酸化（黒変）を防止することができる。
【００４２】
また、最外層１２、中間層１３は、第１剤中のアンモニアの浸透を防止する特性を有している。このため、第１剤中のアンモニアが保存時に次第に減少するのを防止することができる。よって、酸化染毛剤の第１剤の保存安定性を向上させることができる。
【００４３】
・  実施形態の染毛剤収納容器１１は、透明性を有する素材によって形成されている。このため、内容物の残量を容易に確認することができると共に、収納されている内容物が何であるのかを、外から見ただけで容易に確認することができる。則ち、二剤式の酸化染毛剤の場合、第１剤と第２剤を見間違えることはない。
【００４４】
・  実施形態の染毛剤収納容器１１は、環境に対しクリーンな素材によって形成されている。このため、焼却時にダイオキシン等を発生することがなく、焼却残査も極めて少ない。
【００４５】
・  実施形態の染毛剤収納容器１１は、三枚の樹脂素材を接合することによって形成されている。このため、構成が簡単であり、従来のエアゾール缶やチューブ容器に比べて材料コストや製造コストの低減を図ることができる。
【００４６】
以下、前記実施形態をさらに具体化した実施例について説明する。
実施例１および比較例１，２においては、第１容器と第２容器を別体で形成し、それぞれ表１に示す材質（左端が外層側、右端が内層側を示す）からなる樹脂素材によって第１容器と第２容器を形成した。そして、第１容器と第２容器に酸化染毛剤の第１剤と第２剤をそれぞれ収納して４５℃恒温槽にて三ヶ月間保存した後、第１容器の表面への染料の浸透の有無及び毛束に対する染毛効果について評価した。その結果を表１に示す。
【００４７】
なお、第１容器は、最外層の厚さを略１２μｍ、中間層の厚さを略１５μｍ、最内層の厚さを略５０μｍとしたものを使用した。
【００４８】
また、第１剤としては、パラフェニレンジアミンを２．０重量％、レゾルシンを１．０重量％、ポリオキシエチレン（１０）オレイルエーテルを３．０重量％、セトステアリルアルコールを８．０重量％、流動パラフィンを２．０重量％、アンモニア水をｐＨ９とする量、精製水を残部配合したものを使用した。また、第２剤としては、過酸化水素を６．０重量％、ＥＤＴＡを０．５重量％、セタノールを２．０重量％、アルキル硫酸ナトリウムを０．５重量％、フェナセチンを０．１重量％、精製水を残部配合したものを使用した。
【００４９】
また、第１容器への着色は目視により評価し、第１容器の表面に染料の浸透がなく、着色が認められない場合には○、染料の浸透がややあり、斑点状の着色が認められる場合には△、染料の浸透があり、かなりの着色が認められる場合には×で示した。染毛効果も目視により評価し、保存前の染毛剤を使ったときの染毛効果と比較して、期待する染毛効果が得られた場合には○、やや異なる染毛効果が得られた場合には△、かなり異なる染毛効果となった場合には×で示した。
【表１】
0004789302.tif 000002
【００５０】
表１の結果より、実施例１において、第１容器の表面への染料の浸透がなく、また染毛効果も良好であることが示された。即ち、ＰＥＴ−Ａｌ２Ｏ３層とＯ−Ｎｙ層をそれぞれ最外層、中間層に配置した積層容器の場合、第１剤の保存安定性が良好であることが示された。
【００５１】
また、比較例１においては、第１容器の表面への染料の浸透が認められ、また染毛効果もやや不良であることが示された。即ち、アルミナ蒸着をしないＰＥＴ樹脂層を最外層に配置して、第１容器を形成した場合、第１剤の保存安定性が不良であることが示された。
【００５２】
また、比較例２においては、染毛効果が不良であることが示された。則ち、２軸延伸ナイロン層を含まない層構成で、第１容器を形成した場合、第１剤の保存安定性が不良であることが示された。
【００５３】
なお、本実施形態は、次のように変更して具体化することも可能である。
・  実施形態の染毛剤収納容器１１を中央で連結した一対の第１包装袋と第２包装袋とで構成すること。このように構成した場合、酸化染毛剤の第１剤と第２剤をそれぞれ収納することができる。
【００５４】
・  実施形態の染毛剤収納容器１１を自立性を有するスタンディングパウチ容器として形成すること。このように構成した場合、詰替容器としても、本体容器としても使用することができる。
【００５５】
・  実施形態の染毛剤収納容器１１の層構成を、最外層から最内層の順に、例えば、無機物蒸着ＰＥＴ層／ＥＶＯＨ／Ｏ−Ｎｙ／ポリオレフィン系樹脂層、無機物蒸着ＰＥＴ層／Ｏ−Ｎｙ／ＥＶＯＨ／ポリオレフィン系樹脂層、無機物蒸着ＰＥＴ層／Ｏ−Ｎｙ／Ｏ−ＰＰ（延伸ポリプロピレン）／ポリオレフィン系樹脂層、無機物蒸着ＰＥＴ層／ＥＶＯＨ／Ｏ−ＰＰ／ポリオレフィン系樹脂層等として形成すること。このように構成した場合、よりバリアー性を向上させることができる。
【００５６】
次に、前記実施形態から把握できる技術的思想について以下に記載する。
・  前記収納容器が、透明性を有することを特徴とする請求項１又は請求項２に記載の染毛剤収納容器。このように構成した場合、内容物の残量を容易に確認することができると共に、収納されている内容物が何であるのかを、外から見ただけで容易に確認することができる。
【００５７】
【発明の効果】
以上詳述したように、この発明によれば、次のような効果を奏する。
請求項１に記載の発明の染毛剤収納容器によれば、酸化染毛剤の第１剤の保存安定性を向上させることができる。
【００５８】
請求項２に記載の発明の染毛剤収納容器によれば、請求項１に記載の発明の効果に加え、コストメリットを向上させることができる。
【図面の簡単な説明】
【図１】  （ａ）はこの発明の染毛剤収納容器の第１実施形態を示す斜視図、（ｂ）はその構成素材の断面図。
【符号の説明】
１１…染毛剤収納容器、１２…最外層、１２ａ…飽和ポリエステル樹脂層、１２ｂ…無機物蒸着層、１３…中間層、１４…最内層
【図１】
0004789302.tif 000003